(57)【特許請求の範囲】
【請求項１】
走行機体（３）に植付作業機（９）を連結して設け、該植付作業機（９）に苗の植付け用のビークを複数設け、苗の植付位置に対応せしめて圃場に施肥を行う施肥具（２１）を設け、該施肥具（２１）への肥料の送出しの入切りを切換える切換装置（２３）を設け、該切換装置（２３）が、上記肥料の送出しの切換えを操作する施肥操作具（３４）を備え、前記複数のビークの内、所定のビークの作動の入り切りを選択的に操作する植付操作具（４１）を設けた移植作業機において、植付操作具（４１）と、該植付操作具（４１）により操作されるビークにより植え付けられる苗の植付位置に対応する施肥具（２１）の施肥操作具（３４）とを連動作動可能にする連繋機構を設け、該連繋機構を連繋解除自在に構成するとともに、前記走行機体（３）に運転席（７）を設け、該運転席（７）に座席（６）を設け、該座席（６）後方近傍に切換装置（２３）の各施肥操作具（３４）を集中配置し、各植付操作具（４１）と施肥操作具（３４）とを近接配置せしめた移植作業機。
【請求項２】
所定の植付操作具（４１）により操作されるビークにより植え付けられる苗の植付位置に対応する複数の施肥具（２１）を連動作動可能にする連繋機構を設け、該連繋機構を連繋解除自在に構成した請求項１の移植作業機。
【請求項３】
植付操作具（４１）及び施肥操作具（３４）が、上下又は前後の操作方向を有する請求項１又は２の移植作業機。
【発明の詳細な説明】
【０００１】
【発明の属する技術分野】
この発明は施肥の切換装置（インジケータ）を備えた乗用田植機等の移植作業機に関する。
【０００２】
【従来の技術と発明が解決しようとする課題】
従来乗用田植機には、走行機体に植付作業機を連結して設け、該植付作業機に苗の植付け用のビークを複数設け、苗の植付位置に対応せしめて圃場に施肥を行う管状の施肥具（施肥ノズル）を設け、該施肥ノズルへの肥料の送出しの入切りを切換える切換装置を設け、該切換装置が、上記肥料の送出しの切換えを操作する施肥操作具を各ノズル毎に備え、前記複数のビークの内、所定のビーク、例えば同一駆動部により駆動されるビークの作動の入り切りを選択的に操作する植付操作具を設けたものが知られている。
【０００３】
そして上記各施肥操作具により、各施肥ノズルからの肥料の排出（施肥）及び肥料の排出の停止（条止め）を操作して、施肥条の条止めのコントロールを行い、また植付操作具によりビークによる苗の植付けの入り切りを操作して植付条の条止めのコントロールを行っている。
【０００４】
一方通常ビークの作動を停止させて植付条の条止めを行うと、この条止めに伴い施肥条の条止めも行う必要がある。このためビークの作動を停止させた場合に、対応する施肥条の条止めを行うべく、植付操作具と、該植付操作具により操作されるビークにより植え付けられる苗の植付位置に対応する施肥ノズルの施肥操作具との両方の操作具の操作が必要となり、特に複数の施肥条の条止めを行う場合は、複数の施肥操作具を一度に操作する必要があり、施肥操作具の操作が煩雑であるという欠点があった。
【０００５】
【課題を解決するための手段】
上記課題を解決するための本発明の移植作業機は、第１に走行機体３に植付作業機９を連結して設け、該植付作業機９に苗の植付け用のビークを複数設け、苗の植付位置に対応せしめて圃場に施肥を行う施肥具２１を設け、該施肥具２１への肥料の送出しの入切りを切換える切換装置２３を設け、該切換装置２３が、上記肥料の送出しの切換えを操作する施肥操作具３４を備え、前記複数のビークの内、所定のビークの作動の入り切りを選択的に操作する植付操作具４１を設けた移植作業機において、植付操作具４１と、該植付操作具４１により操作されるビークにより植え付けられる苗の植付位置に対応する施肥具２１の施肥操作具３４とを連動作動可能にする連繋機構を設け、該連繋機構を連繋解除自在に構成するとともに、前記走行機体３に運転席７を設け、該運転席７に座席６を設け、該座席６後方近傍に切換装置２３の各施肥操作具３４を集中配置し、各植付操作具４１と施肥操作具３４とを近接配置せしめたことを特徴としている。
【０００６】
第２に所定の植付操作具４１により操作されるビークにより植え付けられる苗の植付位置に対応する複数の施肥具２１を連動作動可能にする連繋機構を設け、該連繋機構を連繋解除自在に構成したことを特徴としている。
【０００７】
第３に植付操作具４１及び施肥操作具３４が、上下又は前後の操作方向を有することを特徴としている。
【０００８】
【発明の実施の形態】
図１，図２は本発明の流動性肥料の切換装置（インジケータ）を採用した乗用田植機（移植作業機）の側面図及び平面図であり、左右の前輪１及び後輪２を下方に備えた走行機体３の前方にエンジンを内装したボンネット４が設けられ、該ボンネット４の後方に座席６を備えた運転席７が設けられている。そして該運転席７の後方には苗載せ台８を斜設した植付用の作業機（植付作業機）９が、アッパーリンク１１及びロアリンク１２で構成される昇降リンク機構１４を介して昇降自在に、且つローリング可能に連結されている。
【０００９】
これにより上記乗用田植機は、昇降リンク機構１４を介して植付作業機９を昇降させて植付作業機９のフロート１６を圃場に接地させ、図示しない従来公知の苗の植付け用の植付ビークを回転駆動することにより、植付ビークが苗載せ台８から苗を掻き取り、苗を圃場に植え付ける従来公知の構造となっている。なお植付作業機９には、走行機体３側からＰＴＯ軸を介して駆動力が入力され、該駆動力は上記植付ビークが取り付けられているプランタケース１７内に入力される。
【００１０】
なお本実施形態は６条植え用の乗用田植機であり、プランタケース１７が３つ設けられ、各プランタケース１７の下方にそれぞれフロート１６が設けられている。そして上記植付ビークは、プランタケース１７の左右の両側方に取り付けられており、各プランタケース１７の左右に設けられる植付ビークは、該当するプランタケース１７に入力される駆動力により回転駆動される。
【００１１】
また上記各プランタケース１７には植付ビーク側に駆動力を断接自在に伝動する植付クラッチ１８が設けられており、該植付クラッチ１８により、プランタケース１７毎に植付ビークの駆動を停止させることも可能となっており、すなわち２条毎に植付けを停止させることが可能となっている。
【００１２】
一方上記乗用田植機には、圃場内に施肥を行うことができる施肥装置が取り付けられており、上記フロート１６の圃場への接地に際して圃場内に挿入されるようにフロート１６の下面から突出した管状の施肥具（施肥ノズル）２１によって走行機体３側の肥料タンク２２内の流動性肥料を施肥することができる構造となっている。
【００１３】
上記施肥ノズル２１は、植付苗（植付条）に対して左右方向に近接し且つ圃場の浅い位置に肥料を施肥する浅層ノズル２１ａと、同一のプランタケース１７により駆動される左右の植付ビークによって植え付けられる隣接する植付条の略中間の深い位置に肥料を施肥する深層ノズル２１ｂとの２種類からなり、１つのプランタケース１７に対して、左右の植付ビークに近接する側方に配置される２本の浅層施肥ノズル２１ａと、両植付ビークの中間（両浅層施肥ノズル２１ａ間）に配置される１本の深層施肥ノズル２１ｂが１組となって取り付けられている。
【００１４】
これによりプランタケース１７の左右に設けられた植付ビークにより植え付けられる苗の植付位置に対して、当該プランタケース１７に設けられる左右の浅層施肥ノズル２１ａと、両施肥ノズル２１ａ間の深層施肥ノズル２１ｂが対応して施肥を行うことができる。
【００１５】
なお両者はフロート１７からのノズルの端部（肥料排出端である先端）までの垂直距離（高さ）が異なり、すなわち浅層ノズル２１ａは、フロート１７からノズルの端部までの垂直距離が比較的短く、深層ノズル２１ｂは、フロート１７からノズルの端部までの垂直距離が比較的長くなっている。
【００１６】
一方上記肥料タンク２２は、走行機体３の前方側のボンネット４の左右下方に設けられており、内部に流動性肥料（ペースト肥料）が充填されている。そして該肥料タンク２２と各施肥ノズル２１との間には、図示しないポンプと、各施肥ノズル２１への肥料の送出しの入り切り（肥料の送出しと送出し停止）を選択的に切り換える切換装置（インジケータ）２３とが設けられている。
【００１７】
施肥装置は以上のように構成され、肥料タンク２２内のペースト肥料がポンプによりいったんインジケータ２３に送られ、該インジケータ２３により肥料の送出しを許容する施肥ノズル２１を選択し、肥料の送り出しが許容された施肥ノズル２１から肥料を排出させ、圃場に施肥する構造となっている。
【００１８】
なおインジケータ２３は座席６の後方の機体の左右中心位置に配置されており、これにより座席６の側方のリヤステップ２４の左右後方にはスペースＳが形成され、このスペースＳによりオペレータは苗載せ台８への苗の供給を容易に行うことができる。
【００１９】
上記インジケータ２３は図３〜図６に示されるように、外カバー２６内に各施肥ノズル２１に対応する送肥ユニット２７を左右方向に並列配置して構成されている。そして各送肥ユニット２７の前方にはポンプ側から送肥される肥料の入力ポート２８が設けられており、また各送肥ユニット２７の後方には施肥ノズル２１への肥料の排出ポート２９とドレンポート３１とを備えるバルブ３２が設けられている。
【００２０】
すなわち上記送肥ユニット２７は、入力ポート２８からポンプによって送肥される肥料が入力され、施肥ノズル２１により施肥を行う場合は、バルブ３２の排出ポート２９から肥料を排出せしめ、施肥ノズル２１による施肥を停止する場合は、バルブ３２のドレンポート３１からのみ肥料を排出せしめる構造となっている。なおドレンポート３１から排出される肥料は戻しパイプによりポンプ側に戻される。
【００２１】
そして上記肥料を排出せしめるポートの切換えは、バルブ３２内の側面視で円弧状をなす弁３２ａの回転によって行われ、図５に示されるように弁の回転により排出ポート２９を塞ぎ、送肥ユニット２７を条止め状態とすることによって、肥料が弁３２ａに妨げられて弁３２ａの円弧状の外側を流れ、ドレンポート３１からのみ排出され、当該送肥ユニット２７に対応する施肥ノズル２１による施肥が停止（施肥条が条止め）される。
【００２２】
また図６に示されるように、弁３２ａの回転によりドレンポート３１を塞ぎ、送肥ユニット２７の条止め状態を解除することによって、肥料が弁３２ａの円弧状の外側を流れ、排出ポート２９からのみ排出され、当該送肥ユニット２７に対応する施肥ノズル２１による施肥が行われ、すなわち当該施肥ノズル２１の条止めが解除される。
【００２３】
なお上記弁３２ａにはバルブ３２の側方に位置してバルブ操作プレート３３が取り付けられており、該バルブ操作プレート３３に突設されている操作アーム３４によってバルブ操作プレート３３を回動させることにより、弁３２ａを操作して送肥ユニット２７の条止め状態及び条止め解除状態の切換えを選択的に操作することができる。すなわちバルブ操作プレート３３と操作アーム３４とによって、肥料の送出しの切換えを操作する施肥操作具が構成され、該施肥操作具が各施肥ノズル２１（送肥ユニット２７）毎に設けられている。
【００２４】
このとき弁３２ａの円弧の径は、弁３２ａを９０度回転させること無く、ドレンポート３１又は排出ポート２９の一方を完全に塞ぎ、他方を完全に開くことができるように設定されており、送肥ユニット２７の条止め状態（図５）において略垂直に起立するように取り付けられている上記操作アーム３４を、後方に９０度より小さな角度揺動操作することによって、操作アーム３４が水平になる以前に、図６に示されるように送肥ユニット２７が条止めの解除状態に切り換えられる。
【００２５】
一方本実施形態において隣接植付条は、上記のように１つのプランタケース１７の左右に設けられた植付ビークにより植付けられ、両植付条の中間の圃場の深層位置に深層施肥が、両植付条の側方の圃場の浅層位置に浅層施肥が行われる。そしてこの隣接条用の施肥ノズル２１（１つのプランタケース１７側に設けられた２つの浅層施肥ノズル２１ａと、１つの深層ノズル２１ｂ）に対応する３つの送肥ユニット２７は、インジケータ２３内において隣接して設けられ、本実施形態においては、深層ノズル２１ｂ用の送肥ユニット２７の左右両側に浅層施肥ノズル２１ａ用の送肥ユニット２７が隣接配置されている。
【００２６】
そして各送肥ユニット２７のバルブ操作プレート３３には、連結用の孔３３ａが穿設されており、上記１つのプランタケース１７に対応する３つのバルブ操作プレート３３の各孔３３ａに一本のピン３６が挿通されて、３つのバルブ操作プレート３３が連結されている。
【００２７】
このとき少なくとも１つ以上（本実施形態においては２つの）バルブ操作プレート３３には上記孔３３ａと同心にボス３７が突設されており、ボス３７が設けられた２つのバルブ操作プレート３３はボス３７を介してピン３６により連結されている。
【００２８】
これによりピン３６，孔３３ａ，ボス３７によって、連結された３つのバルブ操作プレート３３に対応する施肥ノズル２１を連動作動可能にする連繋機構が構成され、連繋機構により連繋されたバルブ操作プレート３３（施肥操作具）のいずれか１つを揺動操作することにより、３つの施肥操作具が同時に連動して作動せしめられ、各送肥ユニット２７に対応する施肥ノズル２１の条止めを同時に操作することができる。
【００２９】
このため上記連結された３つのバルブ操作プレート３３の１つ（本実施形態においては深層ノズル２１ｂ用のバルブ操作プレート３３）には、回動自在にリンクロッド３８の一端側が連結されていると共に、該リンクロッド３８の他端には、インジケータ２３の本体に取り付けられたブラケット３９側に前後揺動自在に支持されたプレート状の操作レバー４１が連結されている。
【００３０】
これにより操作レバー４１の前後揺動によって、リンクロッド３８が連結されたバルブ操作プレート３３が揺動せしめられ、このとき上記のように３つのバルブ操作プレート３３がピン３６を介して連結されているため、結局操作レバー４１の揺動により、連結された３つのバルブ操作プレート３３が同時に揺動せしめられ、、該当する３つの施肥ユニット２７の状態が同時に切換えられ、隣接条の浅層施肥と隣接条間の深層施肥を一度にワンタッチで条止めすることができる。
【００３１】
なお少なくとも２つのバルブ操作プレート３３はボス３７を介してピン３６が挿入されているため、操作レバー４１の揺動操作時の各バルブ操作プレート３３の反応遅れや、ねじれ等が少なく、各バルブ操作プレート３３の動きが不均一とならず、各施肥ユニット２７の状態切換えのタイミング等のばらつきが少なく、各施肥条の条止めのタイミングのずれ等や不均一が防止される。
【００３２】
また上記操作レバー４１は、ブラケット３９の上面に形成されたレバーガイド４２から突出せしめられ、先端側が把持部４１ａを構成して前方に向き、施肥ユニット２７の条止め解除状態において、上記把持部４１ａが水平状態から所定角度上方に傾斜して、操作アーム３４に対して概ね平行状態となるように、全体が側面視において略く字状に屈曲している。このため図５に示されるように送肥ユニット２７を条止め状態に切り換えると把持部４１ａが起立状態となる。
【００３３】
以上に示される構造により、座席６の後方（真後ろ）に、各施肥操作具が集中して配置されているとともに、操作レバー４１と施肥操作具（バルブ操作プレート３３及び操作アーム３４）とが、共に前後の操作方向を有して近接配置されており、これによりオペレータは座席に座ったまま後方に手を伸ばすことによって手探りで、操作レバー４１又は操作アーム３４を操作することにより施肥条の条止め操作を、比較的力の入りやすい腕の屈伸運動による操作により容易に行うことができる。
【００３４】
特に操作レバー４１の把持部４１ａと操作アーム３４が概ね平行となっているため、送肥ユニット２７の条止め状態への切換えを、操作レバー４１又は操作アーム３４の把持部４１ａを前方側に揺動させて起立状態にすることによって行うことができるため、条止め状態への切換え操作を、オペレータが操作レバー４１又は操作アーム３４を持って前方側に体重をかけることで容易に行うことができる。
【００３５】
また操作レバー４１は、複数（３つ）の送肥ユニット２７に対して１つ設けられるため、６条植付けのための９本の施肥ノズル２１に対して３つ設けられるのみとなり、操作レバー４１の数は、施肥ノズル２１の数（操作アーム３４の数）に比較して大幅に少なくなり、条止めを行う施肥条に対応する操作レバー４１を手探りで選択することも容易であり、条止め操作の操作性は高い。
【００３６】
一方上記操作レバー４１には、上記のようにバルブ操作プレート３３が連結された送肥ユニット２７（施肥ノズル２１）に対応する植付ビークが設けられたプランタケース１７における植付クラッチ１８のシフトレバーにワイヤ４２を介して連結されており、該ワイヤ４２のアウタが、インジケータ２３の本体の下部に設けられたアウタ受け４３に取り付けられている。
【００３７】
これによって操作レバー４１の揺動操作により、当該操作レバー４１により駆動及び停止が操作される植付けビークに前述のように対応する施肥ノズル２１による施肥条の条止め及び条止め解除が、自動的に操作され、すなわち操作レバー４１は、ピン３６により連繋されたバルブ操作プレート３３の操作部と、植付ビークの作動の入り切りを操作する植付操作具とを兼用している。
【００３８】
上記構造により、プランタケース１７毎の植付ビークの作動の切換えが、上記操作レバー４１の揺動操作により行われ、この際植付ビークの停止に伴い不要となる施肥条の条止めが、植付ビークの駆動停止と同時にワンタッチで行われ、あるいは植付ビークの駆動開始に伴い必要な施肥が自動的にワンタッチで開始される。
【００３９】
このため植付ビークの入り切りに伴う施肥の切換えが自動的行われ、操作レバー４１の揺動操作によって、植付ビークの駆動の停止及び開始に伴う、該植付ビークにより植え付けられる苗の植付位置に対応する施肥条の施肥の条止め及び条止め解除の切換えが自動的に行われ、施肥の条止め及び条止め解除の操作忘れ等を防止することができる。
【００４０】
このとき操作レバー４１と操作アーム３４は、略平行に同方向に揺動されて、植付条又は施肥条の条止め、あるいは植付条又は施肥条の条止め解除が行われるため、オペレータが後方を見ることにより、植付条と施肥条の条止め状態を一見して容易に判断することができ、植付条と施肥条の対応を容易に確認することができる。
【００４１】
なお上記レバーガイド４２は、図７に示されるように、操作レバー４１を送肥ユニット２７を条止め状態に切り換える条止め位置Ｐ１に位置決めする条止めポジション４３と、送肥ユニット２７を条止め解除状態に切り換える条止め解除位置Ｐ２に位置決めする解除ポジション４４とを備え、両ポジション４３，４４間を移動ガイド４６により連結した構成となっている。
【００４２】
そして条止めポジション４３及び解除ポジション４４の幅Ｔ１は、移動ガイド４６の幅Ｔ２に比較して大きく、移動ガイド４６と条止めポジション４３及び解除ポジション４４との間には、段差が形成されており、操作レバー４１は該段差により、不用意に足で操作レバー４１を引っ掛けるような場合であっても、条止めポジション４３及び解除ポジション４４から容易に外れることは無く、操作レバー４１の位置決めが確実に行われる。
【００４３】
なお条止めポジション４３においては、条止めポジション４３内に突出する突起部４７が設けられており、ワイヤ４２を介して常時条止め解除側に付勢されている操作レバー４１のワイヤ４２からの付勢力により、条止めポジション４３から外れることを防止している。
【００４４】
なおピン３６は孔３３ａに対して挿脱自在となっており、３つのバルブ操作プレート３３のうち、連動させる必要が無いバルブ操作プレート３３をピン３６による連繋から取り外すことにより、当該バルブ操作プレート３３に対応する送肥ユニット２７（施肥ノズル２１）の操作レバー４１による切換えを解除することができる。これによりピン３６をすべてのバルブ操作プレート３３から抜くことにより、各送肥ユニット２７の条止め状態と条止め解除状態とを各別に操作アーム３４によって切り換えることができる。
【００４５】
また場合によっては１つのバルブ操作プレート３３をピン３６の連結から抜くことによって、当該バルブ操作プレート３３に対応する送肥ユニット２７のみ操作レバー４１による切換えが不可となり、結局上記ピン３６が各バルブ操作プレート３３に対して挿脱自在であるため、連繋するバルブ操作プレート３３の組み合わせによって、２条分の施肥条の条止めのみならず、１条の条止めや、深層施肥又は浅層施肥のみの条止め等を行うことができ、さらに奇数条の条止めに使用することもできる。
【００４６】
ただし上記実施形態においては、ピン３６により連結されるバルブ操作プレート３３の少なくとも１つは、操作レバー４１にリンクロッド３８を介して連結されているため、ピン３６のみでは操作レバー４１と対応する３つのバルブ操作プレート３３のすべてとの連繋を解除することはできない。
【００４７】
このためリンクロッド３８と操作レバー４１又はバルブ操作プレート３３との連結を解除することにより、３つすべてのバルブ操作プレート３３と操作レバー４１との連繋を解除して、施肥条の条止め（施肥ノズル２１からの肥料の排出）と、植付条の条止め（植付ビークの駆動）を完全に独立して操作するように構成できる。
【００４８】
すなわちリンクロッド３８とピン３６により、操作レバー４１と、該操作レバー４１により操作される植付ビークにより植え付けられる苗の植付位置に対応する施肥ノズル２１の操作アーム３４とを連動作動可能にする連繋機構が構成され、リンクロッド３８の着脱と、ピン３６の上記挿脱により、操作レバー４１に連動して条止めが操作される施肥ノズル２１を０〜３つの間で任意に設定することができる。
【００４９】
一方図４，図８に示されるように、各送肥ユニット２７には、肥料の詰まりに起因する内圧の上昇によってダイヤフラムが作用して持ち上げられるガイド４６が備えられており、該ガイド４６は、肥料の詰まり時には、ガイド４６の上方に配置されたレバー４７を押し上げてリミットスイッチ４８を作動させ、このリミットスイッチ４８の作動により、運転席７のモニタを点灯させ、インジケータ２３内のいずれかの送肥ユニット２７内に肥料が詰まったことを報知するように構成されている。
【００５０】
このときガイド４６とレバー４７の間に、図８に示されるようにガイドアーム４９を回動自在に軸支して、ガイド４６の上昇時には、ガイドアーム４９を介してレバー４７を上昇せしめ、この際のガイドアーム４９の上方への揺動によって、肥料詰まりを起した送肥ユニット２７を特定することができるように構成してもよい。
【００５１】
この際ガイドアーム４９を図９に示すように、側面視で階段状をなすプレートから構成し、上面の後方を上方に屈曲せしめ、該屈曲部に支点軸挿入用の孔５１を穿設し、屈曲部分を送肥ユニット２７のブラケット５２間に挿入し、支点軸を介して回動自在に支持させることができる。
【００５２】
またインジケータ２３の外カバー２６の前面に、ガイドアーム４９の左右方向をガイドして、ガイドアーム４９をインジケータ２３の外に突出させるガイド孔５３を穿設して、ガイドアーム４９は上記ガイド孔５３をガイドにして左右ずれなく上下揺動させることもできる。
【００５３】
【発明の効果】
以上のように構成される本発明の構造によれば、植付操作具と施肥操作具とを連動作動可能に連繋せしめることにより、所定のビークの停止に伴い、該ビークにより植え付けられる苗の植付条に対応する施肥条の条止め（施肥の停止）が自動的に行われ、あるいは所定のビークの作動開始に伴い、該ビークにより植え付けられる苗の植付条に対応する施肥条の条止めが自動的に解除される。
【００５４】
つまりビークの作動の入り切りに伴う施肥の切換えが自動的行われ、施肥の条止め及び条止め解除の操作忘れ等を防止することができるという効果がある。また植付操作具と施肥操作具との連繋を解除することにより、植付条の条止めと施肥条の条止めを独立してそれぞれ別々に行うことも可能である。
【００５５】
このとき座席後方近傍に切換装置の各施肥操作具を集中配置し、各ビークの作動の入り切りを操作する植付操作具と施肥操作具とを近接配置せしめることによって、施肥操作具を各施肥条毎に設けたものに比較して、運転席から手を伸ばすことにより容易に施肥操作具を操作することができるという効果がある。
【００５６】
また例えば１つの植付操作具により２条分のビークが同時に停止される場合、両ビークにより植え付けられる苗の植付位置に対応する複数の施肥具を連動作動可能に連繋せしめることによって、２条分の施肥の停止（条止め）や、圃場の浅い部分への浅層施肥と圃場の深い部分への深層施肥を同時に条止めすることができ、条止め作業を容易に行うことができる他、連繋機構が連繋解除自在であるため、連繋解除によって各施肥具毎の条止めを許容することもできる。
【００５７】
さらに植付操作具及び施肥操作具を、上下又は前後に操作するように構成することによって、座席からの操作が容易となる他、所定のビークの植付操作具と、該ビークにより植え付けられる苗の植付位置に対応する施肥操作具との対応を容易に確認することができるという利点もある。
【図面の簡単な説明】
【図１】  乗用田植機の要部側面図である。
【図２】  乗用田植機の要部平面図である。
【図３】  インジケータの平面図である。
【図４】  インジケータの正面図である。
【図５】  操作レバーを条止め状態としたインジケータの側面図である。
【図６】  操作レバーを条止め解除状態としたインジケータの側面図である。
【図７】  レバーガイドの平面図である。
【図８】  インジケータの要部側面透視図である。
【図９】  （Ａ），（Ｂ），（Ｃ）は、ガイドアームの平面図，側面図，正面図である。
【符号の説明】
３      走行機体
６      座席
７      運転席
９      植付作業機
２１    施肥ノズル（施肥具）
２３    インジケータ（切換装置）
３４    操作アーム（施肥操作具）
４１    操作レバー（植付操作具）
【図１】
0003912728.tif 000002
【図２】
0003912728.tif 000003
【図３】
0003912728.tif 000004
【図４】
0003912728.tif 000005
【図５】
0003912728.tif 000006
【図６】
0003912728.tif 000007
【図７】
0003912728.tif 000008
【図８】
0003912728.tif 000009
【図９】
0003912728.tif 000010